(57)【要約】【課題】目標値をオーバーシュートして作業装置が損傷してしまうことを抑制でき、しかも操作の手間を不要にすることができる。【解決手段】走行用駆動源７と、作業装置２と、走行用駆動源７と作業装置２とを接続又は遮断状態にする動力取出装置９と、走行用駆動源７の駆動を制御して作業装置の出力値を制御する制御部８と、作業装置２の目標出力値を設定する目標出力値設定手段４と、作業装置２の現在出力値を検出する現在出力値検出手段１５とを備え、制御部８は、目標出力値設定手段４により設定された目標出力値よりも低い所定の出力値まで走行用駆動源の駆動を所定の増加率で増加させる第１駆動制御１３と、現在出力値検出手段１５からの検出情報に基づいて現在出力値が所定の出力値に達したと判断した場合に走行用駆動源７の駆動を所定の増加率よりも低い増加率で増加させる第２駆動制御１４とを備えている。【選択図】図５
2020002848.tif 000002
【特許請求の範囲】
【請求項１】
走行用駆動源と、該走行用駆動源の駆動力を受けて作動する作業装置と、前記走行用駆動源と前記作業装置とを接続状態又は遮断状態にするための動力取出装置と、前記走行用駆動源の駆動を制御して前記作業装置の出力値を制御する制御部と、前記作業装置の目標出力値を設定する目標出力値設定手段と、前記作業装置の現在出力値を検出する現在出力値検出手段とを備え、
前記制御部は、前記目標出力値設定手段により設定された目標出力値よりも低い所定の出力値に前記現在出力値が達するまで前記走行用駆動源の駆動を所定の増加率で増加させる第１駆動制御と、前記現在出力値検出手段からの検出情報に基づいて前記現在出力値が所定の出力値に達したと判断した場合に前記走行用駆動源を前記所定の増加率よりも低い増加率で増加させる第２駆動制御とを備えていることを特徴とする車両用制御装置。
【請求項２】
前記所定の出力値が、前記作業装置の作業時において予め設定されている該作業装置の最低出力値となる下限値に設定されていることを特徴とする請求項１に記載の車両用制御装置。
【請求項３】
前回の作業終了時に設定された前記作業装置の目標出力値を次回の作業時の前記作業装置の目標出力値とすることを特徴とする請求項１又は２に記載の車両用制御装置。
【請求項４】
請求項１〜３のうちのいずれか１項の車両用制御装置を備えた作業車。
【発明の詳細な説明】
【技術分野】
【０００１】
本発明は、走行用駆動源と、該走行用駆動源の駆動力を受けて作動する作業装置と、前記走行用駆動源と前記作業装置とを接続又は遮断状態にするための動力取出装置と、前記走行用駆動源の駆動を制御して前記作業装置の出力値を制御する制御部とを有する車両用制御装置及び車両用制御装置を備えた作業車に関する。
【背景技術】
【０００２】
作業車としての粉粒体運搬車では、動力取出装置を遮断状態から接続状態に切替えてエンジン（走行用駆動源）からの動力によりコンプレッサ（作業装置）を作動させることによりタンク内の粉粒体の排出作業を行う。この排出作業時に、粉粒体の排出速度を増減できるようにエンジン回転数を増減させてコンプレッサのエアの吐出量を可変できるようにしている。
【０００３】
この粉粒体運搬車には、前記エンジン回転数を指示するためのボリュームが設けられており、そのボリュームの操作位置に応じてエンジンの回転数が変更される。このボリュームは、最小操作位置から最大操作位置まで操作可能で、最小操作位置から少し最大操作位置側となる位置にエンジンが起動上限値となる位置が設定されている。これは、起動上限値の位置よりも大きい値（目標値）となる位置にボリュームが操作されていると、コンプレッサとエンジンとが接続された時に、エンジンが起動上限値よりも大きい値の回転数まで連続して駆動される。その結果、目標値をオーバーシュートしてしまい、コンプレッサを損傷させてしまうことがある。そこで、ボリュームが起動上限値となる位置よりも大きい値となる位置に操作されている場合には、エンジンの回転数が起動上限値の時の回転数を越えないようにエンジン回転数を制限する制御が行われている（例えば、特許文献１）。
【先行技術文献】
【特許文献】
【０００４】
【特許文献１】特許第５１６０４９０号公報
【発明の概要】
【発明が解決しようとする課題】
【０００５】
上記構成によれば、コンプレッサが損傷してしまうことを回避することができるものの、エンジンの回転数を起動上限値を越える値に設定したい場合には、ボリュームを起動上限値以下まで一旦下げた後、ボリュームを起動上限値よりも上の値となる目標位置まで手動で操作しなければならない。そのため、目標位置までの操作が手間のかかる煩わしいものになり、改善の余地があった。
【０００６】
そこで本発明は、目標値をオーバーシュートして作業装置が損傷してしまうことを抑制でき、しかも操作の手間を不要にすることができる車両用制御装置及び車両用制御装置を備えた作業車を提供することを目的とする。
【課題を解決するための手段】
【０００７】
本発明の車両用制御装置は、走行用駆動源と、該走行用駆動源の駆動力を受けて作動する作業装置と、前記走行用駆動源と前記作業装置とを接続状態又は遮断状態にするための動力取出装置と、前記走行用駆動源の駆動を制御して前記作業装置の出力値を制御する制御部と、前記作業装置の目標出力値を設定する目標出力値設定手段と、前記作業装置の現在出力値を検出する現在出力値検出手段とを備え、前記制御部は、前記目標出力値設定手段により設定された目標出力値よりも低い所定の出力値に前記現在出力値が達するまで前記走行用駆動源の駆動を所定の増加率で増加させる第１駆動制御と、前記現在出力値検出手段からの検出情報に基づいて前記現在出力値が所定の出力値に達したと判断した場合に前記走行用駆動源を前記所定の増加率よりも低い増加率で増加させる第２駆動制御とを備えていることを特徴としている。
【０００８】
上記構成によれば、目標出力値設定手段により作業装置の目標出力値が設定されると、制御部は、現在出力値検出手段で検出される現在出力値が目標出力値よりも低い所定の出力値に達するまで第１駆動制御により走行用駆動源の駆動を所定の増加率で増加させる。そして、制御部は、現在出力値検出手段からの検出情報に基づいて現在出力値が所定の出力値に達したと判断した場合に、所定の増加率よりも低い増加率で走行用駆動源の駆動を増加させる。したがって、目標出力値をオーバーシュートすることを抑制できる。しかも、作業装置を目標の出力値まで走行用駆動源を連続駆動しているので、操作の手間を不要にすることができる。
【０００９】
また、本発明の車両用制御装置は、前記所定の出力値が、前記作業装置の作業時において予め設定されている該作業装置の最低出力値となる下限値に設定されていてもよい。
【００１０】
上記のように、所定の出力値が、作業装置の作業時において予め設定されている作業装置の最低出力値となる下限値に設定されていれば、下限値までは、走行用駆動源の出力値の増加率を大きくして目標値に達する時間を短くすることができる。
【００１１】
また、本発明の車両用制御装置は、前回の作業終了時に設定された前記作業装置の目標出力値を次回の作業時の前記作業装置の目標出力値としてもよい。
【００１２】
上記構成によれば、作業時毎に目標出力値を手動で設定する手間が不要になる。しかも、目標出力値を前回の目標出力値から調整する調整量が少なくて済む。
【００１３】
また、本発明は、前記車両用制御装置を備えた作業車であってもよい。
【発明の効果】
【００１４】
本発明は、制御部が、目標出力値設定手段により設定された目標出力値よりも低い所定の出力値まで走行用駆動源の駆動を所定の増加率で増加させる第１駆動制御と、所定の出力値に達したと判断した場合に走行用駆動源を所定の増加率よりも低い増加率で増加させる第２駆動制御とを備えているので、目標値をオーバーシュートして作業装置が損傷してしまうことを抑制でき、しかも操作の手間を不要にすることができる車両用制御装置及び車両用制御装置を備えた作業車を提供することができる。
【図面の簡単な説明】
【００１５】
【図１】粉粒体運搬車に取り付けられるメータパネルの正面図である。
【図２】同メータパネルのメータ画面を示す正面図である。
【図３】同メータパネルの設定画面を示す正面図である。
【図４】作業装置の出力の下限値及び上限値を設定する過程を示すフローチャートである。
【図５】作業装置の出力の下限値及び上限値を設定する時に使用するスイッチとエンジンとコンプレッサとの関係を示すブロック図である。
【図６】コンプレッサの回転数の変化を示すグラフである。
【図７】コンプレッサの回転数の制御を示すフローチャートである。
【図８】コンプレッサの回転数の他の制御を示すフローチャートである。
【発明を実施するための形態】
【００１６】
以下、本発明の一実施形態に係る車両用制御装置を備える粉粒体運搬車について説明する。図示していないが、粉粒体運搬車は、走行用駆動源としてのエンジンが搭載されたシャシをシャシメーカから調達し、そのシャシにエンジンの駆動力を受けて作動する作業装置を取り付けて組み立てられる。なお、シャシメーカ毎にエンジンの仕様（例えば最小エンジン回転数や最大エンジン回転数）が異なっている。なお、シャシメーカは、作業装置を除くエンジンが搭載されたシャシを製造するメーカであり、エンジンが搭載された車体に作業装置を取り付けて組み立てた粉粒体運搬車を依頼者（顧客）に出荷するメーカを架装メーカという。
【００１７】
作業装置は、粉粒体を収容するタンクに導入用の配管を通して加圧エアを導入するコンプレッサから構成されている。このコンプレッサからの加圧エアによってタンク内の粉粒体が流動し、排出用の配管を通して外部へ排出できるように構成されている。コンプレッサには、コンプレッサの回転数を検出する回転数センサ（測定手段）が設けられている。この回転数センサをコンプレッサの現在出力値を検出する現在出力値検出手段１５と称する（図５参照）。作業装置とは、駆動源から直接機械的な運動を受けるものである。例えば、本実施形態では、コンプレッサがエンジンの回転運動を受けている。
【００１８】
粉粒体運搬車には、図１に示すメータパネル１が取り付けられている。このメータパネル１は、タンク内の粉粒体を排出する際やコンプレッサ２（図５参照）の回転数の上限値及び下限値のうちの少なくとも一方を設定する際に使用する。具体的には、メータパネル１の右端部に上から順に、メインスイッチ３、コンプレッサ２の回転数調整スイッチ４、画面切替スイッチ５を備えるとともに、左右中央部に表示部としての液晶のメータ画面６を備えている。
【００１９】
メインスイッチ３は、トグルスイッチからなり、操作レバーを一回だけ上側又は下側に倒すことにより、ＯＮ又はＯＦＦ状態に切り替わり、その切替状態を維持するオルタネイト動作型に構成されている。ここでは、操作レバーを上側に倒すと、コンプレッサ２を用いる作業時（ＯＮ状態）に切替えられ、次の操作（下側への操作）が行われるまでその状態を維持する。また、操作レバーを下側に倒すと、車両を走行させる走行時（ＯＦＦ状態）に切替えられ、次の操作（上側への操作）が行われるまでその状態を維持する。
【００２０】
回転数調整スイッチ４は、コンプレッサ２の作動時にコンプレッサ２の出力値である回転数を可変するための目標出力値設定手段を構成している。回転数調整スイッチ４は、具体的には、トグルスイッチからなり、非操作時に、図１に示す水平姿勢となるニュートラル位置に戻るように付勢されており、操作時に、操作レバーを上側又は下側に倒している時だけ、ＯＮ状態となるモーメンタリ動作型に構成されている。ここでは、操作レバーを上側に倒すと、コンプレッサ２の回転数を上げる。また、操作レバーを下側に倒すと、コンプレッサ２の回転数を下げる。なお、コンプレッサ２の回転数を連続して変更したい場合には、操作レバーを上側又は下側に倒した状態を保持しなければならない。この回転数調整スイッチ４は、コンプレッサ２の最低回転数（下限値）及び最高回転数（上限値）を微調整するときの微調整手段としての微調整スイッチとしても機能する。
【００２１】
画面切替スイッチ５は、トグルスイッチからなり、非操作時に、図１に示す水平姿勢となるニュートラル位置に戻るように付勢されており、操作時に、操作レバーを上側又は下側に倒している時だけ、ＯＮ状態となるモーメンタリ動作型に構成されている。ここでは、操作レバーを上側に倒すと、画面の切替えを行い、例えば図２に示すメータ画面６に切り替わる。また、操作レバーを下側に倒し、その倒した状態を所定時間（数秒）維持する（長押しする）と、トリップメータ（走行距離計）の値をリセットすることができる。この画面切替スイッチ５は、前記回転数調整スイッチ４で合わせたコンプレッサ２の最低回転数及び最高回転数を決定するための決定手段としての決定記憶スイッチとしても機能する。
【００２２】
図２に示すメータ画面６は、エンジン７（図５参照）からの動力により作動されるコンプレッサ２の回転数（図２では８５０ｒｐｍ）が表示されるとともに、タンク内の圧力計の計測値（図２では０．１５０ＭＰａ）及び配管内の圧力計の測定値（図２では０．１７５ＭＰａ）が表示されている。なお、図示していないが、作動情報画面にも切替えられるようになっており、作動情報画面には、コンプレッサの通算稼働時間、本日のコンプレッサの稼働時間、コンプレッサの温度、エラー表示及びエラー履歴などが表示される。
【００２３】
また、図５に示すように、回転数調整スイッチ４及び画面切替スイッチ５からの操作信号が制御部８に入力されるとともに、エンジン７とコンプレッサ２とを接続状態にする又は遮断状態にすることができる動力取出装置（ＰＴＯ）９、動力取出装置９を接続状態と遮断状態とに切替える切替スイッチ１０が前記制御部８に接続されている。
【００２４】
コントローラ１１は、制御部８と記憶手段１２とを備えている。記憶手段１２には、エンジン回転数の上限値の電圧値と下限値の電圧値がシャシメーカ毎に複数記憶され、また、コンプレッサの回転数は、コンプレッサメーカ毎の上限と下限の差が少ないため、１つの回転数が記憶されている。また、記憶手段１２（図５参照）には、コンプレッサ２を作動させる作業時において、前記回転数調整スイッチ４を上側又は下側に操作した時の上がり幅又は下がり幅であるゲインも記憶手段１２に記憶されている。そして、前記コントローラ１１に後述する設定用ハーネスを差し込むことによって、設定モードに切替えるとともに、どのシャシメーカのエンジンであるかを特定し、特定したエンジンの最低回転数を発生させる電圧値及びそれに対応する（エンジンの回転力により回転される）コンプレッサ２の回転数を読み出す。読み出した電圧値及びコンプレッサ２の回転数を後述する設定画面に表示する。
【００２５】
粉粒体運搬車を組み立てる場合に必要となる設定、つまりコンプレッサ２の最低回転数及び最高回転数を設定する過程を図３及び図４に基づいて説明する。
【００２６】
まず、コントローラ１１を粉粒体運搬車に架装する（ステップＳ１）。次に、設定用ハーネスをコントローラ１１に差し込むことで設定モードに切替える（ステップＳ２）。次に、エンジン７を始動させるとともに切替スイッチ１０をＯＮ操作して動力取出装置（ＰＴＯ）９をＯＮ（接続状態）にし、メインスイッチ３を上側に倒して「作業時」に切替える（ステップＳ３）。このとき、切替スイッチ１０のＯＮ信号により動力取出装置（ＰＴＯ）９が電気的に接続された状態であると判断し、前記エンジン回転数の上限値の電圧値と下限値の電圧値及びそれぞれの電圧値で作動するコンプレッサ２の回転数を読み出す。これによりメータ画面６が図３に示す設定画面に切り替わる。図３の上段に、最低回転設定時のコンプレッサ２の回転数７００ｒｐｍ及び最高回転設定時のコンプレッサ２の回転数９００ｒｐｍが表示されている。続いて、設定用ハーネスをコントローラ１１に差し込むことで読み出された最低回転数に対応するエンジン７の駆動電圧値（プリセット指令値の２．２０Ｖ）でエンジン７を駆動する（ステップＳ４）。この駆動により、現在のエンジン７の駆動電圧値と測定手段で実測したコンプレッサ２の回転数を表示する（ステップＳ５）。このとき、エンジン７やコンプレッサ２の個体差により、予め記憶されている最低回転数（プリセット指令値）とは異なる表示となる。図３の上段では、電圧値が２．２０Ｖで回転数が７６０ｒｐｍとなっており、最低回転数を７６０ｒｐｍから７００ｒｐｍにするように、回転数調整スイッチ５を下側に倒して調整する（図３の中段参照）。調整した後、画面切替スイッチ５を下側へ長押しして最低回転数（正規の下限値）を設定する（ステップＳ６）。この設定した最低回転数（正規の下限値）を下限値として記憶手段１２に保存する（ステップＳ７）。保存後は、回転数調整スイッチ４を上側に倒すことにより、回転数が最高回転数の９００ｒｐｍ（この時の電圧値は２．５０Ｖ）に上昇させる（図３の下段参照）。最高回転数が９００ｒｐｍになると、画面切替スイッチ５を下側へ長押しして最高回転数を設定する（ステップＳ８）。この設定した最高回転数（正規の上限値）を上限値として記憶手段１２に保存する（ステップＳ９）。保存後は、差し込んだ設定用ハーネスをコントローラ１１から抜くことで作業モードに切替える（ステップＳ１０）。切替え後は、コンプレッサ２の作動確認を行って（ステップＳ１１）、作動が正常であると確認されると、設定作業を終了する。ここでは、最低回転数を７６０ｒｐｍから７００ｒｐｍに一致させるようにしたが、７００ｒｐｍに近付けるように最低回転数を調整してもよい。正規の出力値に対応するエンジン７の駆動値を設定値に決定して記憶した後は、コンプレッサ２の出力値が目標の出力値からずれてしまうことを抑制することができるので、出力値調整手段４でコンプレッサ２の出力値を可変して思い通りの作業を行うことができる。また、手動でコンプレッサ２の出力値を一から合わせる場合に比べて調整幅が小さくて済み、調整にかかる手間を少なくできる。
【００２７】
なお、シャシメーカ毎に最低回転数及び最高回転数を設定することができない禁止領域（最低領域及び最高領域の２つの領域）をそれぞれ設定することによって、エンジン７がエラーとなることを回避できるようにしている。
【００２８】
また、制御部８は、図５及び図６に示すように、目標出力値設定手段４により設定された目標出力値よりも低い所定の出力値までエンジン７の駆動を所定の増加率で増加させる第１駆動制御１３と、前記所定の出力値に達することによりエンジン７の駆動を前記所定の増加率よりも低い増加率で増加させる第２駆動制御１４とを備えている。なお、エンジン７の駆動を増加させるとは、エンジンに印加する電圧値を大きくすることによりエンジン７への燃料噴射量が増大して、エンジン７の回転数を上昇させることである。ここでは、エンジン７に印加する電圧値を調整することによって、エンジン７への燃料噴射量を調整しているが、エンジン７のカバナーとアクセルペダル（又は手で操作するアクセルレバー）とをワイヤーやリンクを用いて機械的に接続し、アクセルペダル（又はアクセルレバー）の操作量でエンジン７への燃料噴射量を調整するようにしてもよい。
【００２９】
前記所定の出力値は、コンプレッサ２の作業時において予め設定されているコンプレッサの最低出力値となる下限値（ここでは７００ｒｐｍ）に設定されている。下限値を設定することにより、下限値までは、エンジン７に印加する電圧値の増加率を大きくして目標値に達する時間を短くすることができる。しかも、エンジン７の電圧値の増加率を大きくしても、下限値から該増加率を低くするので、目標値をオーバーシュートすることをより一層抑制できる。
【００３０】
従って、図６に示すように、コンプレッサ２のアイドリング回転数から下限値までは、所定（一定）の第１増加率でエンジン７の電圧値を上げる第１駆動制御を行い、回転数が下限値に到達すると、前記第１増加率よりも低い第２増加率で目標出力値までエンジン７の電圧値を上げる第２駆動制御を行っている。したがって、目標出力値をオーバーシュートすることを抑制できる。しかも、作業装置を目標の出力値まで走行用駆動源を連続駆動しているので、操作の手間を不要にすることができる。
【００３１】
ここでは、第１増加率及び第２増加率が、一次関数的（線形的）に増加する増加率であるが、二次関数以上の高次関数で増加する増加率であってもよい。
【００３２】
コンプレッサ２の回転数を目標回転数にするための回転数制御を図７のフローチャートに基づいて説明する。
【００３３】
メインスイッチ３がＯＮされたかどうかを確認し（ステップＳ２０）、ＯＮされると、作業モードに移行したとして、回転数調整スイッチ４の操作位置（目標値であるコンプレッサの目標回転数）を読み出す（ステップＳ２１）。目標値が下限値よりも上かどうかを確認し（ステップＳ２２）、目標値が下限値よりも上であれば、回転数制御を開始する。前記目標値が下限値と同じであれば、制御を中止する。なお、前記目標値が下限値と同じ場合には、前記第１増加率で目標の回転数まで上昇させるようにしている。回転数制御を開始すると、速度１でコンプレッサ２の回転数を上昇させる（ステップＳ２３）。コンプレッサ２の回転数を上昇させるには、前述したようにエンジン７の回転数を上昇させるべく、エンジン７に印加する電圧値を大きくすることになる。速度１でコンプレッサ２の回転数を上昇させて回転数が下限値に達すると（ステップＳ２４）、速度１から速度２（速度１よりも遅い速度）に変更してコンプレッサ２の回転数を上昇させる（ステップＳ２５）。コンプレッサ２の回転数が目標回転数になると（ステップＳ２６）、その回転数を維持した状態で作業を行う（ステップＳ２７）。作業が終わると、制御を終了する。
【００３４】
また、前回の作業終了時に設定されたコンプレッサ（作業装置）２の目標回転数（目標出力値）を次回の作業時のコンプレッサ（作業装置）２の目標回転数（目標出力値）としてもよく、その構成を図８のフローチャートに基づいて説明する。
【００３５】
メインスイッチ３がＯＮされたかどうかを確認し（ステップＳ３０）、ＯＮされると、前回作業終了時の値（目標値であるコンプレッサの目標回転数）を読み出す（ステップＳ３１）。目標値が下限値よりも上かどうかを確認し（ステップＳ３２）、目標値が下限値よりも上であれば、回転数制御を開始する。前記目標値が下限値であれば、制御を中止する。なお、前記目標値が下限値の場合には、前記第１増加率で目標の回転数まで上昇させるようにしている。回転数制御を開始すると、速度１でコンプレッサ２の回転数を上昇させる（ステップＳ３３）。コンプレッサ２の回転数を上昇させるには、実際にはエンジン７の回転数を上昇させるべく、エンジン７に印加する電圧値を大きくすることになる。速度１でコンプレッサ２の回転数を上昇させて回転数が下限値に達すると（ステップＳ３４）、速度１から速度２（速度１よりも遅い速度）に変更してコンプレッサ２の回転数を上昇させる（ステップＳ３５）。コンプレッサ２の回転数が目標回転数になると（ステップＳ３６）、その回転数を維持した状態で作業を行う（ステップＳ３７）。作業が終わると、メインスイッチ３がＯＦＦされたかどうかを確認し（ステップＳ３８）、ＯＦＦされると、作業中のコンプレッサ２の回転数を記憶し（ステップＳ３９）、制御を終了する。
【００３６】
本発明はその趣旨を逸脱しない範囲で種々変形が可能である。その他、各部の具体的構成についても上記実施形態に限られるものではない。例えば、本発明の特装車としては、粉粒体運搬車に限らない。作業装置を作動させる時に可変できる構成であってもよいし、可変でなく一定でもよい。ここで、エンジンで駆動される作業装置としては、作業装置で運動させた流体で積荷にエネルギーを加え、積荷を車内に積み込む又は車外に排出するものがある。なお、作業装置で運動させる流体が積荷そのものであるものも含む。本実施形態の粉粒体運搬車は、作業装置であるコンプレッサにより圧縮した空気（流体）で、粉粒体（積荷）に圧力を加え、積荷を排出している。作業装置で運動させる積荷そのものである例としては、タンクローリーがある。この場合、作業装置であるポンプで流体である石油（積荷）に圧力を加え、石油を積み込む又は排出している。また、エンジンで駆動する作業装置としては、作業装置で運動させた流体を機械的な運動に変換するアクチュエータを有するものがある。このアクチュエータで搭載している機械を動かすか、アクチュエータで動かされる機械により積荷を積み下ろす２種類のものがある。例えば、作動時にコンクリートの吐出量を調整するコンクリートポンプを備えるコンクリートポンプ車がある。このコンクリートポンプは、油圧ポンプと油圧シリンダとを有し、油圧ポンプ（作業装置）で圧力を加えた作動油（流体）で油圧シリンダ（アクチュエータ）を動かす。その油圧シリンダによりブーム（機械）を動かすか、別の油圧シリンダ（アクチュエータ）を動かしてコンクリートを排出する。なお、作動油に圧力を加えるものを油圧ポンプと言い、積荷に圧力を加えるものを積み降ろしポンプと言うことがある。油圧ポンプを備える特装車は、油圧ポンプの油圧により油圧アクチュエータを作動させる。油圧ポンプの吐出油量が作業装置の出力値に相当する。積み降ろしポンプを備える特装車として、本実施形態の粉粒体運搬車も含まれる。また、他の例として、作業装置で電力を作る塵芥車がある。塵芥車の作業装置が発電機である。塵芥車は、発電機からの電力をモータに供給し、モータにより油圧ポンプを駆動し、油圧ポンプで圧力を加えた作動油で油圧アクチュエータを駆動し、油圧アクチュエータにより積込装置を駆動してゴミを積み込む。
【００３７】
上記実施形態では、設定用ハーネスをコントローラ１１に差し込むことによって、メータ画面を設定モードに切替えるようにしたが、設定モード切替スイッチのスイッチ操作により切り替えるようにしてもよい。
【００３８】
また、上記実施形態では、コントローラ１１に設定用ハーネスを差し込むことにより、プリセット指令値を読み出すようにしたが、シャシメーカ毎に記憶されている複数のプリセット指令値を選択する複数のディップスイッチを基板上に設け、特定のディップスイッチを操作することによりプリセット指令値を読み出すようにしてもよい。
【００３９】
また、上記実施形態では、メインスイッチ３、回転数調整スイッチ４、画面切替スイッチ５を全てトグルスイッチで構成したが、一部又は全部のスイッチを押しボタン式やスライド式に構成してもよい。また、回転数調整スイッチ４は回転操作式のボリュームから構成してもよい。
【００４０】
また、上記実施形態では、微調整スイッチを回転数調整スイッチ４に兼用したが、別に設けた専用のスイッチであってもよい。また、これら微調整スイッチ及び回転数調整スイッチ４を一つの押しボタンから構成し、押しボタンを押すことにより回転数を上げる上げ信号又は回転数を下げる下げ信号のみを出力する構成であってもよい。この場合、押しボタンを押して上限値に達すると、下限値に戻る構成にしてもよい。また、これとは反対に、押しボタンを押して下限値に達すると、上限値に戻る構成でもよい。
【００４１】
また、上記実施形態では、切替スイッチ１０のＯＮ信号により動力取出装置（ＰＴＯ）９が電気的に接続された状態であると判断し、プリセット指令値を読み出してエンジン７を駆動したが、エンジン７とコンプレッサ２とが電気的に接続されていることを検出する検出手段と、検出手段からの検出信号に基づいてエンジン７の駆動電圧値を読み出してコンプレッサ２を作動させるように構成されていてもよい。前記検出手段としては、コンプレッサ２が回転しているかどうかを検出する回転センサやコンプレッサ２が回転した時の音を検出する音センサから構成してもよい。このように、検出手段からの検出信号に基づいてエンジン（走行用駆動源）の駆動電圧値（駆動値）を読み出してコンプレッサ（作業装置）が作動されるので、エンジン（走行用駆動源）とコンプレッサ（作業装置）とが電気的に接続されていない状態で、実測値の微調整が行われることがない。
【００４２】
また、上記実施形態では、所定の出力値を下限値に設定したが、下限値よりも低い回転数に設定してもよい。
【００４３】
また、上記実施形態では、目標出力値を回転数調整スイッチの操作位置により設定していたが、制御部に予め記憶させる又は作業前に制御部に記憶させる構成であってもよい。
【００４４】
また、上記実施形態では、走行用駆動源としてエンジン７を例に挙げたが、バッテリにより動く電動モータであってもよい。
【００４５】
また、第２駆動制御を１つの増加率に設定したが、複数の増加率を用いて複数段階に変化させながら、目標値に達するように構成してもよい。
【符号の説明】
【００４６】
１…メータパネル、２…コンプレッサ（作業装置）、３…メインスイッチ、４…回転数調整スイッチ（目標出力値設定手段、出力値調整手段、微調整手段）、５…画面切替スイッチ（決定手段、決定記憶スイッチ）、６…メータ画面、７…エンジン（走行用駆動源）、８…制御部、９…動力取出装置（ＰＴＯ）、１０…切替スイッチ、１１…コントローラ、１２…記憶手段、１３…第１駆動制御、１４…第２駆動制御、１５…現在出力値検出手段
【図１】
2020002848.tif 000003
【図２】
2020002848.tif 000004
【図３】
2020002848.tif 000005
【図４】
2020002848.tif 000006
【図５】
2020002848.tif 000007
【図６】
2020002848.tif 000008
【図７】
2020002848.tif 000009
【図８】
2020002848.tif 000010